(57)【特許請求の範囲】
【請求項１】
回転部品部用の固定接点および上方から操作するプッシュスイッチ部を上面に有する取付基板と、この取付基板の固定接点の両側に設けた二箇所の支持部によって揺動可能に保持される円筒体と、この円筒体の上底面中央孔に保持され、上記上底面中央孔を中心として回転する軸と、この軸を介して上記円筒体に保持されるとともに、上記固定接点に対応した可動接点を下面に有する回転体と、上記円筒体の揺動によって先端でプッシュスイッチ部を駆動するように上記円筒体の周面の一部に設けられた舌片状の作動体と、上記円筒体の上面で上記支持部よりも高い位置に同心状に配置されると共に上記軸および上記回転体と共回り可能なように連結された円板状のつまみからなり、上記回転部品部は少なくとも上記固定接点と上記つまみと上記回転体とによって構成され、上記つまみを回転させることによって上記回転体が共回りし電気信号を発生することを特徴とするプッシュスイッチ付回転操作型電子部品。
【請求項２】
円筒体を揺動可能に保持する取付基板の二箇所の支持部の中心線が回転部品部とプッシュスイッチ部の中心を結ぶ直線に垂直な上記回転部品部の中心線上にあると共に、この回転部品部の可動接点と固定接点の接触部もこの中心線にあり、通常状態において作動体の先端が上記プッシュスイッチ部の操作部の上端に当接している請求項１記載のプッシュスイッチ付回転操作型電子部品。
【請求項３】
回転部品部が回転体の下面に放射状接点を有する回転型エンコーダであり、円筒体の上部から伸ばされた弾性脚のダボ部が上記回転体上面の放射状凹凸部に当接することにより上記回転体が節度感を伴って回転する構成とした請求項１または２記載のプッシュスイッチ付回転操作型電子部品。
【請求項４】
回転部品部の弾性脚のダボ部が回転体上面の放射状凹凸部の凹部にはまり込んだ時、エンコーダ部の出力信号がＯＦＦとなる請求項３記載のプッシュスイッチ付回転操作型電子部品。
【請求項５】
作動体先端を押し上げる方向に付勢するばね体を装着した請求項１〜４いずれか記載のプッシュスイッチ付回転操作型電子部品。
【発明の詳細な説明】
【０００１】
【産業上の利用分野】
本発明は主として各種電子機器のリモートコントローラや携帯用電子機器に使用され、操作つまみの水平回転操作およびプッシュ操作により駆動するプッシュスイッチ付回転操作型電子部品に関するものである。
【０００２】
【従来の技術】
従来、この種の電子部品を使用する機器においては、水平回転操作するエンコーダ等の電子部品と、プッシュ操作するスイッチなどを各々個別の部品として配置し、これらの二つの部品の各々に操作用つまみを取り付けて操作するようにしていた。
【０００３】
【発明が解決しようとする課題】
しかしながら、一般に、リモートコントローラや携帯用電子機器は大きさを小さくする必要があるため、操作用つまみを装着できる場所が限られており、上記のように水平回転操作用とプッシュ操作用のつまみを別々に取り付けることは機器の小形化に対して不利であると共に、両方のつまみで関連した機能の操作をする場合に二つのつまみを操作する必要があり、使用上も不便であった。
【０００４】
本発明は、水平回転操作とプッシュ操作が単一のつまみで個別に操作できるプッシュスイッチ付回転操作型電子部品を提供することを目的とする。
【０００５】
【課題を解決するための手段】
本発明のプッシュスイッチ付回転操作型電子部品は、回転部品部の可動接点部を保持する円筒体と操作つまみが一体に揺動できる構成とし、この揺動運動により円筒体の周面の一部に設けられた舌片状の操作体がプッシュスイッチを動作させるように構成したものである。
【０００６】
【作用】
この構成によれば、操作つまみの水平回転により回転部品部で電気信号を発生できると共に、操作つまみを押して少し傾けることによりプッシュスイッチ部を動作させることができ、一個の操作用つまみで水平回転部品部およびプッシュスイッチ部を各々別個に操作することができる。
【０００７】
【実施例】
以下、本発明の一実施例のプッシュスイッチ付回転操作型電子部品について、プッシュスイッチ付回転操作型エンコーダを例にして、図１〜図７を用いて説明する。
【０００８】
本実施例のプッシュスイッチ付回転操作型エンコーダは、図１に示すように、固定接点付取付基板１の上に回転型エンコーダ部２とプッシュスイッチ部３が配され、回転型エンコーダ部２は操作つまみ４を装着した円筒体５が一定の角度だけ傾くことができるように、またプッシュスイッチ部３は動かないように配されている。
【０００９】
なお、以下の説明において、固定接点付取付基板１は取付基板１、回転型エンコーダ部２はエンコーダ部２、プッシュスイッチ部３はスイッチ部３、と省略して説明する。
【００１０】
取付基板１には、図２に示すように、平板状の成形樹脂体に、エンコーダ部２の円筒体５を揺動可能に保持するための二箇所の支持部６Ａ，６Ｂが一体に設けられると共に、エンコーダ部２の三つの固定弾性接点７Ａ，７Ｂ，７Ｃと、スイッチ部３の二つの固定接点８Ａ，８Ｂおよびこれらの固定接点からの電気信号を外部へ伝達するための端子９Ａ，９Ｂ，９Ｃと１０Ａ，１０Ｂがインサート成形により設けられている。
【００１１】
尚、円筒体５を揺動可能に保持する二箇所の支持部６Ａ，６Ｂの中心線は、エンコーダ部２の中心とスイッチ部３の中心を結ぶ直線に垂直なエンコーダ部２の中心線上にある。
【００１２】
エンコーダ部２は、図３および図４に示すように、取付基板１の二箇所の支持部６Ａ，６Ｂの丸孔にその側面の二箇所の突起５Ａ，５Ｂがはめ込まれて揺動可能に保持され、取付基板１に対して垂直な状態からスイッチ３側に傾くように取付けられた円筒体５と、その上底面中央孔５Ｃに回転可能に保持された孔１１Ａ付き軸１１と、その下端部に水平に連結され、円板状の上面に放射状凹凸部１２、下面にその凸部の数と同数の放射状可動接点板１３を有する回転体１４と、円筒体５の上底面から下方に伸ばされた弾性脚の先端ダボ部１５Ａが上記回転体１４上面の凹凸部１２に弾接する節度ばね１５と、円筒体５の上面に同心状に配された円板状で、その下面のピン部４Ａを上記軸１１の孔１１Ａに圧入固定されたつまみ４から構成されており、放射状可動接点板１３には取付基板１の固定弾性接点７Ａ，７Ｂ，７Ｃが弾接している。
【００１３】
尚、この放射状可動接点板１３に固定弾性接点７Ａ，７Ｂ，７Ｃが弾接する位置は、円筒体５を揺動可能に保持する取付基板１の二箇所の支持部６Ａ，６Ｂの中心線上にあり、しかも、エンコーダ部２が回転動作しない通常状態において、節度ばね１５の弾性脚先端ダボ部１５Ａは回転体１４上面の放射状凹凸部１２の凹部にはまり込んでおり、この状態においてエンコーダ部２の出力信号はＯＦＦであるように設定されている。
【００１４】
更に、取付基板１のスイッチ部３の固定接点８Ａ，８Ｂの上には、弾性金属薄板から成るダイアフラム状のスイッチ可動接点１６が載せられ、その周囲の窪み６Ｃに位置決めされてスイッチ部３を構成し、その上方から上記エンコーダ部２の円筒体５の側面に一体に設けられた作動体１７の先端突部１７Ａが可動接点１６の中央部に当接している。
【００１５】
そして、この作動体１７の先端突部１７Ａがスイッチ可動接点１６の中央部に当接していることによって、エンコーダ部２の円筒体５は、通常状態において取付基板１に対してほぼ垂直な位置を保っている。
【００１６】
本実施例のプッシュスイッチ付回転操作型エンコーダは以上のように構成されるものであるが、電子機器に装着される場合は、図５に示すように、取付基板１の外周の端子９Ａ，９Ｂ，９Ｃおよび１０Ａ，１０Ｂを機器のプリント配線基板１８に半田付けして固定され、円板状つまみ４の外周の一部４Ｂが機器の外装ケース１９の隙間から外部に突出するように取付けられる。
【００１７】
次に、本実施例のプッシュスイッチ付回転操作型エンコーダの動作について説明する。
【００１８】
まず、図６に示すように、エンコーダ部２の上端に取付けられたつまみ４の外装ケース１９から突出した部分４Ｂに接線方向の力を加えて回転させることにより、図３および図４に示す軸１１および回転体１４が円筒体５の上底面中央孔５Ｃを中心として回転し、回転体１４下面の放射状可動接点板１３の上を固定弾性接点７Ａ，７Ｂ，７Ｃが弾接して摺動し、この接触部分で円板状操作つまみ４の回転操作に連動したパルス信号を発生する。
【００１９】
この時、回転体１４上面の凹凸部１２に弾接した節度ばね１５の弾性脚先端のダボ部１５Ａは、回転操作前にはまり込んでいた凹部から凸部を乗り越えて次の凹部へと節度感を出しながら移っていき、回転操作に連動したパルス信号の数に相当する凸部を乗り越えた位置の凹部にはまり込んで停止する。
【００２０】
そして、このパルス信号が弾性接点７Ａ，７Ｂ，７Ｃから取付基板１の外周の接続端子９Ａ，９Ｂ，９Ｃを経て電子機器のプリント配線基板１８の回転に伝達される。
【００２１】
また、図７に示すように、円板状操作つまみ４の突出部分４Ｂに、つまみ４の中心とスイッチ部３の中心を結ぶ方向〔矢印Ｈ１方向〕の押し力を加えると、エンコーダ部２全体が取付基板１の二箇所の支持部６Ａ，６Ｂに保持された円筒体５の突起５Ａ，５Ｂを中心として時計方向〔矢印Ｈ２方向〕に少しの角度だけ回転し、これに伴って円筒体５の側面に設けられた作動体１７の先端突部１７Ａが下方〔矢印Ｈ３方向〕に動いて、その下側に当接したスイッチ部３のダイアフラム状可動接点１６の弾性力に逆らってその中心部を下方に押し下げる。これによりダイアフラム状可動接点１６が反転して固定接点８Ａ，８Ｂの間を短絡させ、その信号が取付基板１の外周の接続用端子１０Ａ，１０Ｂを経て電子機器のプリント配線基板１８の回路に伝達される。
【００２２】
この後、円板状操作つまみ４に加えていた力を除くと、可動接点１６がその弾性復元力によって元のダイアフラム形状に復帰しようとして作動体１７の先端突部１７Ａを上方に押し上げることにより、円筒体５およびつまみ４、すなわちエンコーダ部２全体が図３の状態に復帰する。
【００２３】
ここで、円板状操作つまみ４に水平方向の力Ｈ１を加えてスイッチ部３を動作させる際に、エンコーダ部２の円筒体５と共に回転体１４が傾き、その下面の放射状可動接点板１３が傾いても、放射状可動接点板１３と固定接点７Ａ，７Ｂ，７Ｃの接触位置は円筒体５が傾く時の回転のほぼ心位置にあるので、放射状可動接点板１３の傾きにより接触位置は殆ど動かず、しかも、この放射状可動接点板１３に弾接する固定弾性接点７Ａ，７Ｂ，７Ｃは出力がＯＦＦの位置に停止しているので、エンコーダ部２への影響は無い。
【００２４】
上記の実施例では、円筒体５の側面に一体に設けられた作動体１７の先端突部１７Ａがスイッチ部３のダイアフラム状可動接点１６の中央部に当接することによって、エンコーダ部２の円筒体５は取付基板１に対して垂直な位置を保っているが、つまみ４の突出部分４Ｂに接線方向の力を加えて回転させる場合に、つまみ４に図７のＨ１方向の力が加わりすぎると、スイッチ３が動作してしまう危険性がある。
【００２５】
しかし、この現象を防ぐために、作動体１７の先端突部１７Ａを押し戻す力、すなわちスイッチ部３の金属薄板製ダイアフラム状可動接点１６の弾性力を大きくすることは、スイッチ特性との関係があり難しい。
【００２６】
図８は、上記のような現象を防ぐための本発明のプッシュスイッチ付回転操作型電子部品の他の実施例を示すものであり、上記実施例のプッシュスイッチ付回転操作型エンコーダの作動体１７の先端を押し上げる方向に付勢するばね体を、スイッチ部３のダイアフラム状可動接点１６とは別に追加装着するものである。
【００２７】
すなわち、図８に示すように、取付基板１のスイッチ可動接点１６を収容した窪み６Ｃの途中に段部６Ｄを設け、この部分に、図９に示すような中央孔２０Ａ付きのばね性金属薄板製の板ばね２０を挿入して作動体１７の先端突部１７Ａの周囲を上方に押し上げるものであり、スイッチ部３のダイアフラム状可動接点１６を変更することなく、作動体１７の先端を押し戻す力を大きくしてつまみ４を回転操作する場合に、つまみ４に図７のＨ１方向の力が加わってスイッチ３を誤動作させることを防止できるものである。
【００２８】
なお、以上の実施例では水平回転操作する電子部品として回転型エンコーダを例として説明したが、これは回転型可変抵抗器などの他の電子部品でもよいことは勿論である。
【００２９】
【発明の効果】
以上のように本発明によると、水平回転型部品部とプッシュスイッチ部を一個の操作用つまみで個別に操作することができるので、リモートコントローラや携帯用電子機器などの小形化に有利であると共に、回転型部品部とプッシュスイッチ部を連続して操作する場合に、つまみを操作する指を一方のつまみから離して他方のつまみへ移す必要がないので、迅速に容易に操作することができる。
【００３０】
また、水平回転型部品部とプッシュスイッチ部を一つの取付基板の上に装着して、これらを一つのまとまった部品として取り扱うことができるので、回転型部品部とプッシュスイッチ部との位置関係を正確に保つことができてプッシュ操作時の動作が確実であると共に、電子機器への装着も容易である。
【図面の簡単な説明】
【図１】本発明のプッシュスイッチ付回転操作型電子部品の一実施例のプッシュスイッチ付回転操作型エンコーダの斜視図
【図２】同実施例の要部である接点取付基板の斜視図
【図３】同実施例の側面断面図
【図４】同図３Ｄ−Ｄ線における断面図
【図５】同実施例の使用機器への装着状態を示す使用機器の側面断面図
【図６】同実施例の回転型エンコーダ部の動作を説明する一部切欠断面平面図
【図７】同実施例のプッシュスイッチ部の動作を説明する一部切欠断面側面図
【図８】他の実施例の側面断面図
【図９】図８の要部である板ばねの斜視図
【符号の説明】
１  固定接点付取付基板
２  回転型エンコーダ部
３  プッシュスイッチ部
４  つまみ
５  円筒体
６  支持部
７  固定接点
１４  回転体
１６  可動接点
１７  作動体
【図１】
0003579960.tif 000002
【図２】
0003579960.tif 000003
【図３】
0003579960.tif 000004
【図４】
0003579960.tif 000005
【図５】
0003579960.tif 000006
【図６】
0003579960.tif 000007
【図７】
0003579960.tif 000008
【図８】
0003579960.tif 000009
【図９】
0003579960.tif 000010